(57)【要約】【課題】水中不純物濾過構造を提供する。【解決手段】収容体、脱水部材、作動装置、濾過装置を含む。該収容体は、収容槽、組み立て空間を含み、収容槽は、水溶液を収容する。該脱水部材は、前記収容槽内に設置される。作動装置は、少なくとも１つの作動部材、伝動部を含み、作動部材は、ピン接合箇所を軸心とし、シーソー板状振動をなし、作動部材は、伝動部に連接する。該濾過装置は、収容体の収容槽内に組み込まれ、濾過装置は、濾過網及びタービン翼片組を設け、該タービン翼片組は、作動装置から直接または間接的に回転を連動する。本考案は、電源を必要とせず、作動装置に反復施力する作動部材によって、伝動部の回転を連動し、脱水部材に回転または加速回転を持続し、脱水部材中に置かれた含水物体が遠心脱水でき、収容体の収容槽内の水または水溶液が濾過装置のタービン翼片組により吸引され、濾過網を経過し、不純物を濾過できる。【選択図】図６
0003148379.tif 000002
【実用新案登録請求の範囲】
【請求項１】
収容体と、作動装置と、濾過装置と、を含み、そのうち、
該収容体は、収容槽、組み立て空間を含み、該収容槽と組み立て空間との間は、水密性材料により２つの独立空間に分け隔てられ、
該作動装置は、作動部材、伝動部を含み、該作動部材は、動力を提供し、該伝動部により動力を伝達し、濾過装置を回転させ、
該濾過装置は、槽体、吸水台体を含み、該槽体は、前記収容台体の収容槽内に組み込み、槽体は、濾過網を設置し、少なくとも１つの進水口を開設し、該濾過網が出水口であり、該吸水台体は、槽体の下方に連結設置され、給水台体内にタービン翼片組を設け、該タービン翼片組の回転軸は、吸水台体に設けられ、タービン翼片組の回転軸は、前記作動装置の伝動部と連動する水中不純物濾過構造。
【請求項２】
前記作動装置の作動部材は、台体にピン接合され、作動部材は、ピン接合箇所を軸心としてシーソー状の振動をなし、作動部材と台体との間に弾性部材を組み込み、該弾性部材が作動部材に上向きの弾性力を与え、作動部材がラックを連設し、
該作動部材の伝動部は、ギア組と伝動軸を含み、該ギア組は、少なくとも同軸ギアと不可逆ギアを含み、同軸ギアは、前記作動部材のラックと噛み合い、該同軸ギアは、該不可逆ギアと噛み合い、不可逆ギアは、転動輪に同軸設置し、該伝動軸は、不可逆ギアと組み合わさり、伝動軸が前記台体にピン接合し、
該濾過装置のタービン翼片組の回転軸下端に伝動輪を組み付け、該伝動輪は、伝動帯により前記作動装置の不可逆ギアの転動輪と連結する請求項１記載の水中不純物濾過構造。
【請求項３】
前記作動部材の弾性部材が螺旋バネである請求項２記載の水中不純物濾過構造。
【請求項４】
前記濾過装置の濾過網が活動的に嵌合するものである請求項１記載の水中不純物濾過構造。
【請求項５】
収容体と、脱水部材と、作動装置と、濾過装置と、を含み、そのうち、
該収容体は、収容槽、組み立て空間を含み、該収容槽と組み立て空間との間は、水密性材料により２つの独立空間に分け隔てられ、
該脱水部材は、中空且つ液体を浸透できる載置槽体であり、脱水部材は、前記収容槽を設け、脱水部材は、作動装置と連動し、
該作動装置は、作動部材、伝動部を含み、該作動部材は、動力を提供し、該伝動部により動力を伝達し、脱水部材と濾過装置を回転させ、
該濾過装置は、槽体、吸水台体を含み、該槽体は、前記収容台体の収容槽内に組み込み、槽体は、濾過網を設置し、少なくとも１つの進水口を開設し、該濾過網が出水口であり、該吸水台体は、槽体の下方に連結設置され、給水台体内にタービン翼片組を設け、該タービン翼片組の回転軸は、吸水台体に設けられ、タービン翼片組の回転軸は、前記作動装置の伝動部と連動する水中不純物濾過構造。
【請求項６】
前記作動装置の作動部材は、台体にピン接合され、作動部材は、ピン接合箇所を軸心としてシーソー状の振動をなし、作動部材と台体との間に弾性部材を組み込み、該弾性部材が作動部材に上向きの弾性力を与え、作動部材がラックを連設し、
該作動部材の伝動部は、ギア組と伝動軸を含み、該ギア組は、少なくとも同軸ギアと不可逆ギアを含み、同軸ギアは、前記作動部材のラックと噛み合い、該同軸ギアは、該不可逆ギアと噛み合い、不可逆ギアは、転動輪に同軸設置し、該伝動軸は、不可逆ギアと組み合わさり、伝動軸が前記台体にピン接合し、伝動軸上端は、収容槽底面を貫通し、脱水部材に組み合わさる請求項５記載の水中不純物濾過構造。
【請求項７】
前記作動部材の弾性部材が螺旋バネである請求項６記載の水中不純物濾過構造。
【請求項８】
前記濾過装置の濾過網が活動的に嵌合するものである請求項５記載の水中不純物濾過構造。
【考案の詳細な説明】
【技術分野】
【０００１】
本考案は、水中濾過構造に関し、特に、電源の使用を必要とせず、使用者が作動装置に施力し、タービン翼片を利用し、水流を連動し濾過網を経由し、水中不純物を除去する目的を達成する脱水装置が濾過装置を結合設置した不純物濾過構造に関する。ウエハ定位研磨作業に応用するウエハ研磨定位環に関する。
【背景技術】
【０００２】
床を清掃することは、人々の日常生活中に恒例事務であり、一般的に述べれば、水を含む単片布料を使用し、直接床を擦ることであり、最もよく見られるのは、各式モップにより床を清掃することである。単片布料またはモップを問わず、何れも水または水溶液を使用し、単片布料及びモップに付着した灰塵、雑物、汚物を洗い、単片布料及びモップ中の水分を適当な湿度まで除去することを繰り返す必要がある。
【０００３】
単片布料に対する脱水は、脱水機を直接利用するか、直接手で捻り出すが、モップ布料は、通常、モップ棒体に結合し、脱水機中に放置し脱水することができず、手で直接水を絞り出す場合、施力が困難で、体力を消耗する問題がある。また、手で直接単片布料またはモップ布料を絞り出すことは、含まれる灰塵、雑物、汚物が使用者の手部を傷つけたり、皮膚に傷害を与えたり、皮膚荒れを引き起こしたりする可能性があり、現代都会人、特には女性にとって、より手を焼く仕事と見なされる。
【０００４】
現行の各種従来用いるモップ及びその組み合わせ設備、装置に関する改良は、何れも脱水の問題を解決することを目的としている。例えば、（ａ）モップ棒体に一組の挟持ローラーを結合し、ローラーを利用し、清掃後のモップ布料の水分を絞り出し、手部に布料が接触する問題を回避する。（ｂ）モップ用の圧力乾燥筒であり、ローラー筒によりモップの布料端を押し、水分を押し出す。
【０００５】
その他、例えば、台湾専利公告新型Ｍ３３８６３４号「脱水装置」は、図１、図２を参考とし、同様に、モップ布料の脱水問題を解決するものであり、特に、盤式モップまたは転盤式モップの脱水に用いるものである。該中華民国新型Ｍ３３８６３４号は、殻体１００、転動ユニット２００、伝動ユニット３００、押棒ユニット４００を設置し、転盤式モップ５００の布料５０１を転動ユニット２００の載置部材２０１内に置き、押棒ユニット４００によって伝動ユニット３００、転動ユニット２００を駆動し、載置部材２０１中の転盤式モップ５００の布料５０１を脱水する。
【０００６】
前記各種従来のモップまたは、モップ脱水装置等は、基本上、何れも布料脱水の目的を達成することができるが、その共通の欠点は、清掃効果を達成する主要な要素の一つである水または水溶液の改善を疎かにしていることであり、即ち、重複使用する水または水溶液が不純物を浄化する設備を有していないということである。
【０００７】
従って、モップの重複洗浄時、清掃用の水または水溶液に如何にそのうちに含む灰塵、雑物、汚物を効率的に減少させるか、水または水溶液のモップ布料の清掃効果を向上させるか、水または水溶液の使用回数を増加させるか、水または水溶液を交換する回数を減少させるか、及びモップの床清掃効果を向上させるかは、モップ使用中の脱水以外の重要な課題である。
【特許文献１】台湾専利公告新型Ｍ３３８６３４号
【考案の開示】
【考案が解決しようとする課題】
【０００８】
本考案は、電力の使用を必要とせず、単片布料または各式モップ布料の脱水に用いることができ、特に、従来のモップの脱水装置の使用の清掃用の水または水溶液の水中不純物濾過及び洗浄の問題を解決する水中不純物濾過構造を提供することである。
【課題を解決するための手段】
【０００９】
本考案の水中不純物濾過構造は、収容体と、脱水部材と、作動装置と、濾過装置と、を含む。該収容体は、収容槽、組み立て空間を含み、収容槽は、水溶液を収容することに用いる。該脱水部材は、前記収容槽内に設置される。作動装置は、少なくとも１つの作動部材、伝動部を含み、作動部材は、ピン接合箇所を軸心とし、シーソー板状の振動をなし、作動部材は、伝動部に連接する。該濾過装置は、収容体の収容槽内に組み込まれ、濾過装置は、進水孔、出水孔、濾過網、及びタービン翼片組を設け、該タービン翼片組は、作動装置から直接または間接的に回転を連動し、収容体の収容槽内の水または水溶液を吸引し、濾過網を経由して水中の不純物を濾過する。
本考案は下記の特徴を有する。
（１）収容体と、作動装置と、濾過装置と、を含み、そのうち、
該収容体は、収容槽、組み立て空間を含み、該収容槽と組み立て空間との間は、水密性材料により２つの独立空間に分け隔てられ、
該作動装置は、作動部材、伝動部を含み、該作動部材は、動力を提供し、該伝動部により動力を伝達し、濾過装置を回転させ、
該濾過装置は、槽体、吸水台体を含み、該槽体は、前記収容台体の収容槽内に組み込み、槽体は、濾過網を設置し、少なくとも１つの進水口を開設し、該濾過網が出水口であり、該吸水台体は、槽体の下方に連結設置され、給水台体内にタービン翼片組を設け、該タービン翼片組の回転軸は、吸水台体に設けられ、タービン翼片組の回転軸は、前記作動装置の伝動部と連動する水中不純物濾過構造。
（２）前記作動装置の作動部材は、台体にピン接合され、作動部材は、ピン接合箇所を軸心としてシーソー状の振動をなし、作動部材と台体との間に弾性部材を組み込み、該弾性部材が作動部材に上向きの弾性力を与え、作動部材がラックを連設し、
該作動部材の伝動部は、ギア組と伝動軸を含み、該ギア組は、少なくとも同軸ギアと不可逆ギアを含み、同軸ギアは、前記作動部材のラックと噛み合い、該同軸ギアは、該不可逆ギアと噛み合い、不可逆ギアは、転動輪に同軸設置し、該伝動軸は、不可逆ギアと組み合わさり、伝動軸が前記台体にピン接合し、
該濾過装置のタービン翼片組の回転軸下端に伝動輪を組み付け、該伝動輪は、伝動帯により前記作動装置の不可逆ギアの転動輪と連結する（１）記載の水中不純物濾過構造。
（３）前記作動部材の弾性部材が螺旋バネである（２）記載の水中不純物濾過構造。
（４）前記濾過装置の濾過網が活動的に嵌合するものである（１）記載の水中不純物濾過構造。
（５）収容体と、脱水部材と、作動装置と、濾過装置と、を含み、そのうち、
該収容体は、収容槽、組み立て空間を含み、該収容槽と組み立て空間との間は、水密性材料により２つの独立空間に分け隔てられ、
該脱水部材は、中空且つ液体を浸透できる載置槽体であり、脱水部材は、前記収容槽を設け、脱水部材は、作動装置と連動し、
該作動装置は、作動部材、伝動部を含み、該作動部材は、動力を提供し、該伝動部により動力を伝達し、脱水部材と濾過装置を回転させ、
該濾過装置は、槽体、吸水台体を含み、該槽体は、前記収容台体の収容槽内に組み込み、槽体は、濾過網を設置し、少なくとも１つの進水口を開設し、該濾過網が出水口であり、該吸水台体は、槽体の下方に連結設置され、給水台体内にタービン翼片組を設け、該タービン翼片組の回転軸は、吸水台体に設けられ、タービン翼片組の回転軸は、前記作動装置の伝動部と連動する水中不純物濾過構造。
（６）前記作動装置の作動部材は、台体にピン接合され、作動部材は、ピン接合箇所を軸心としてシーソー状の振動をなし、作動部材と台体との間に弾性部材を組み込み、該弾性部材が作動部材に上向きの弾性力を与え、作動部材がラックを連設し、
該作動部材の伝動部は、ギア組と伝動軸を含み、該ギア組は、少なくとも同軸ギアと不可逆ギアを含み、同軸ギアは、前記作動部材のラックと噛み合い、該同軸ギアは、該不可逆ギアと噛み合い、不可逆ギアは、転動輪に同軸設置し、該伝動軸は、不可逆ギアと組み合わさり、伝動軸が前記台体にピン接合し、伝動軸上端は、収容槽底面を貫通し、脱水部材に組み合わさる（５）記載の水中不純物濾過構造。
（７）前記作動部材の弾性部材が螺旋バネである（６）記載の水中不純物濾過構造。
（８）前記濾過装置の濾過網が活動的に嵌合するものである（５）記載の水中不純物濾過構造。
【考案の効果】
【００１０】
本考案が提供する水中不純物濾過構造の効果は、電源を必要とせず、作動装置に反復施力するだけで、直接または間接的に濾過装置のタービン翼片の回転を連動し、収容体の収容槽内の水または水溶液を吸引し、濾過網を経過させることにより、不純物を濾過し、水または水溶液中に含む不純物を減少する目的を達成することにある。
【考案を実施するための最良の形態】
【００１１】
本考案の目的、特徴及び効果を詳細に開示する為、下記好適な具体的実施例を挙げ、図面に合わせ、本考案に対して以下のように詳細な説明を行う。
【００１２】
図３、図４、図５、図６、図７は、本考案の実施例の立体組み合わせ説明図、立体分解説明図、部分詳細分解説明図、局部組み合わせ説明図、主要部材の組み合わせ関係説明図である。
【００１３】
本考案の水中不純物濾過構造は、収容体１０、脱水部材２０、作動装置３０、及び濾過装置４０を含み、
そのうち、該収容体１０は、楕円中空柱状であり、それは、収容槽１１、組み立て空間１２を含む。該収容槽１１と組み立て空間１２の間は、水密性材料により２つの独立空間１２に分け隔てられる。該収容槽１１は、液体を収容することに用い、一般的に述べれば、収容する液体は、水または水溶液である。該組み立て空間１２は、収容槽１１下方に配置される。
【００１４】
該脱水部材２０は、中空且つ液体を浸透できる載置槽体であり、脱水部材２０は、前記収容槽１１内に設置される。
【００１５】
該作動装置３０は、作動部材３１、台体３２、伝動部３３を含む。作動部材３１は、動力を提供し、台体３２は、作動部材３１を組み込み、伝動部３３により動力を伝動し、脱水部材２０と濾過装置４０を回転させ、そのうち、
該作動部材３１の作動端は、踏み板状であり、作動部材３１は、ピン接合孔３１１を設け、挿入ピン３１２を台体３２にピン接合し、作動部材３１は、ピン接合箇所の挿入ピン３１２を軸心とし、シーソー板状に振動する。作動部材３１の内側端は、フック部３１３と台体３２の間に組み込む弾性部材３１３１を設け、該弾性部材３１３１の収縮弾力によって作動部材３１の内側端を下向きに引き、作動部材３１の作動端に上向きの弾性力を保持し、作動部材３１中空の扇形板片３１４を連設し、該扇形板片３１４の中空の内面に円弧のラック３１５を設ける。本実施例中、該弾性部材３１３１が螺旋バネである。
【００１６】
該台体３２は、少なくとも２つの結合構造３２１を結合設置し、該２つの結合構造３２１上端部にそれぞれピン接合孔３２１１を設け、該ピン接合孔３２１１は、前記作動部材３１のピン接合孔３１１に対応し、挿入ピン３１２によりピン接合孔３２１１及びピン接合孔３１１を貫通し、作動部材３１を台体３２にピン接合し、作動部材３１をピン接合箇所の挿入ピン３１２を軸心としてシーソー板状の振動をさせる。台体３２は、少なくとも１つの支持構造３２２を結合設置し、該支持構造３２２は、軸孔３２２１を設ける。
【００１７】
該伝動部３３は、ギア組と伝動軸３３３を含む。該ギア組は、少なくとも１つの同軸ギア３３１と不可逆ギア３３２を含み、該不可逆ギア３３２下方に転動輪３３２１を同軸設置し、該同軸ギア３３１は、前記台体３２の支持構造３２２の軸孔３２２１にピン接合され、同軸ギア３３１の小ギア３３１１（図５参照）は、作動部３１の中空の扇形板片３１４を貫通し、円弧のラック３１５と噛み合い、同軸ギア３３１のギア盤は該不可逆ギア３３２と噛み合い、本実施例中、同軸ギア３３１は、不可逆ギア３３２と垂直の噛み合いをなす。該伝動軸３３３は不可逆ギア３３２を組み合わさり、伝動軸３３３の下端は、台体３２底面に活動的に嵌合し、伝動軸３３３上端は、収容槽１１底面を貫通し、前記脱水部材２０の下底面に組み合わさる。
【００１８】
該濾過装置４０は、槽体４１、吸水台体４４を含む。該槽体４１は、中空状であり、収容体１０の収容槽１１に組み込まれ、槽体４１上方は、開口であり、槽体４１側面に濾過網４３を設置し、濾過網４３側辺に少なくとも１つの進水口４２を開設し、該濾過網４３は、槽体４１内部に水または水溶液の出水口を提供する。該吸水台体４４は、槽体４１の下方に連結設置され、吸水台体４４内にタービン翼片組４５を設け、該タービン翼片組４５の回転軸４５１は、吸水台体４４に軸設し、回転軸４５１下端に吸水台体４４を下方に延伸露出し、伝動輪４５２を組み付け、該伝動輪４５２は、伝動帯４５３により前記作動装置３０の不可逆ギア３３２の伝動輪３３２１と連結してなり、図６，図７に示すようである。
【００１９】
本実施例中、濾過装置４０の濾過網４３は、固定の組み合わせである。もちろん、該濾過網４３は、濾過装置４０に活動的に嵌め込むこともでき、濾過網４３は、過度に多くの雑物及び汚物を吸着する時、分解、洗浄することができ、再組み立て使用するか、直接交換することができる。
【００２０】
図８は、本考案の実施例の施力前の一般の状態であり、図９は、施力した作動状態図であり、図１０は、施力を取り除いた後の持続作動状態の説明図である。
【００２１】
実施前、先ず、収容体１０の収容溝１１内に水または水溶液を注ぎ、モップ布料端を収容槽１１内に浸し、洗浄し、モップ布料端の含む灰塵、雑物、汚物を水又は水溶液中に散らし、モップ布料端を脱水装置２０内に置く。
【００２２】
実施時、施力前の一般の状態において、該作動部材３１の内側端は、弾性部材３１３１により下向きに引かれ、作動部材３１の作動端を高い箇所に配置させてなり、図８のようである。使用者は、下向きに施力Ｆを作動部材３１に施し、図９のように、施力Ｆを加えた後、作動部材３１の作動端は、ピン接合箇所の挿入ピン３１２を軸心として下向きに振動し、低い箇所まで変位し、作動過程中、該作動部材３１のラック３１５は上向きに振動し、同軸ギア３３１の小ギア３３１１を連動し、同軸ギア３３１と同期して反時計回りに回転し、該同軸ギア３３１は、不可逆ギア３３２、伝動軸３３３及び脱水部材２０を連動し順時計回りに回転し、同時に、不可逆ギア３３２が軸設する転動輪３３２１が伝動帯４５３を連動し、伝動輪４５２、タービン翼片組４５を同期して順時計周りで回転させ、該タービン翼片組４５の回転が吸水台体４４上方の水または水溶液の渦流現象を形成し、渦流が発生する相的に低い水圧により槽体４１内部の水または水溶液を吸引し、濾過網４３（出水口）から流出させ、また、図６に示すように、槽体４１内部の水圧が低減し、収容槽１１内の水または水溶液が進水口４２を経由して槽体４１内に流入し、濾過網４３を経過し流動する水流を形成し、且つ水または水溶液が濾過網４３を経過する時、そのうちの灰塵、雑物、汚物を減少し、水または水溶液を洗浄する効果を達成する。この時、弾性部材３１３１が作動部材３１の作動端の下向きの変位及びフック部３１３の上向きの変位を受けて長く引き伸ばされ、下向きに収縮する弾性回復力を蓄積する。作動部材３１の施力Ｆを取り除いた時、弾性部材３１３１は、弾性回復力により作動部材３１の作動端を上向きに高い位置に引き動かし、図１０のように、作動部材３１の作動端は上向きに振動し、変位する過程中、もう一端のラック３１５は、下向きに振動、変位し、同軸ギア３３１の小ギア３３１１を連動し、同軸ギア３３１が同期して順時計回りに回転し、同時に、該同軸ギア３３１は、該不可逆ギア３３２も連動し、反時計回りに回転させ、該不可逆ギア３３２は、ただ単一方向（順時計回り）に伝動軸３３３と転動輪３３２１の回転を連動することができるので、伝動軸３３３、脱水部材２０及び連動輪３３２１は、依然として自身の慣性により、順時計回りに回転を継続する。
【００２３】
本考案は、施力Ｆの反復、施力Ｆの除去（作動部材３１の作動端の開放）を利用し、作動部材３０の円弧ラック３１５を利用し、同軸ギア３３１、不可逆ギア３３２、伝動軸３３、転動軸３３３、転動輪３３２１に伝動し、脱水部材２０とタービン翼片組４５を連動し、順時計回り方向に回転又は加速回転を持続し、脱水部材２０内のモップ布料端または含水物体の脱水効果を達成し、濾過装置４０を利用することにより水または水溶液中の雑物、汚物を濾過し、水中の不純物の洗浄、濾過の効果を達成する。
【００２４】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２５】
【図１】前案台湾新型Ｍ３３８６３４号の部分分解図である。
【図２】前案台湾新型Ｍ３３８６３４号の断面説明図である。
【図３】本考案の実施例の立体組み合わせ説明図である。
【図４】本考案の実施例の立体分解説明図である。
【図５】本考案の実施例の脱水部材２０と作動装置３０の詳細分解説明図である。
【図６】本考案の実施例の濾過装置４０と作動装置３０の組み合わせ説明図であり、濾過装置４０の作動と水又は水溶液の流動方向を示す図である。
【図７】本考案の実施例の脱水部材２０、作動装置３０と一部の濾過装置４０の構成要素の組み合わせ説明図である。
【図８】本考案の実施例の組み合わせ説明図である。
【図９】本考案の実施例の組み合わせ断面図であり、作動装置３０が施力Ｆを加えた作動状態説明図である。
【図１０】図９の施力Ｆを取り除いた後の持続作動状態説明図である。
【符号の説明】
【００２６】
１０  収容体
１１  収容槽
１２  組み立て空間
２０  脱水部材
３０  作動装置
３１  作動部材
３１１  ピン接合孔
３１２  挿入ピン
３１３  フック部
３１３１  弾性部材
３１４  扇形板片
３１５  ラック
３２  台体
３２１  結合構造
３２１１  ピン接合孔
３２２  支持構造
３２２１  軸孔
３３  伝動部
３３１  同軸ギア
３３１１  小ギア
３３２  不可逆ギア
３３２１  回転輪
３３３  伝動軸
４０  濾過装置
４１  槽体
４２  進水口
４３  濾過網
４４  吸水台体
４５  タービン翼片組
４５１  回転軸
４５２  伝動輪
４５３  伝動帯
Ｆ  施力
１００  殻体
１０１  軸桿
１０２  ローラー
２００  転動ユニット
２０１  載置部材
３００  伝動ユニット
３０１  ラック
３０２  同軸ギア
３０３  単一方向ギア
４００  押棒ユニット
４０１  押棒
５００  転盤式モップ
５０１  布料
【図１】
0003148379.tif 000003
【図２】
0003148379.tif 000004
【図３】
0003148379.tif 000005
【図４】
0003148379.tif 000006
【図５】
0003148379.tif 000007
【図６】
0003148379.tif 000008
【図７】
0003148379.tif 000009
【図８】
0003148379.tif 000010
【図９】
0003148379.tif 000011
【図１０】
0003148379.tif 000012